(57)【要約】      （修正有）【課題】口腔器具及び口腔器具容器用の製品包装を提供する。【解決手段】製品包装７０は、口腔器具を内部に受け入れるための口腔器具レセプタクルと口腔器具用の容器を口腔器具レセプタクルのそばで受け入れるための容器レセプタクルとを形成する包装部材を含む。包装部材は、包装部材の口腔器具レセプタクル及び容器レセプタクルが外部環境に対して閉じている閉位置とそれぞれ口腔器具及び容器に接近するために口腔器具レセプタクル及び容器レセプタクルに接近可能な開位置との間で互いに対して回動する２つの要素を含む。【選択図】図７
0003213848.tif 000002
【実用新案登録請求の範囲】
【請求項１】
口腔器具用の製品包装であって、
前記口腔器具を内部に受け入れるための口腔器具レセプタクルと前記口腔器具用の容器を前記口腔器具レセプタクルのそばで受け入れるための容器レセプタクルとを形成する包装部材を含み、前記容器が底面を含み、前記口腔器具が、着用されたときに使用者の歯列弓の咬合面に耐えるウェブ面を画定するウェブを有し、
前記包装部材が、前記包装部材の前記口腔器具レセプタクル及び前記容器レセプタクルが外部環境に対して閉じている閉位置とそれぞれ前記口腔器具及び前記容器に接近するために前記口腔器具レセプタクル及び前記容器レセプタクルに接近可能な開位置との間で互いに対して回動する２つの要素を含み、
前記口腔器具レセプタクル及び前記容器レセプタクルが、前記口腔器具の前記ウェブ面が前記器具容器の前記底面に向かって横方向に延在するように、互いに対して配置される、製品包装。
【請求項２】
前記口腔器具レセプタクル及び前記容器レセプタクルが、前記口腔器具の前記ウェブ面が前記器具容器に対して直角に延在するように、互いに対して配置される、請求項１の製品包装。
【請求項３】
前記包装部材が、前記包装部材を支持表面上で直立方位に支持するための支持構造を形成する、請求項１の製品包装。
【請求項４】
前記包装部材が前記直立方位にあるときに、前記口腔器具が前記口腔器具レセプタクルによって実質的に水平方位に保持され、前記容器が前記容器レセプタクルによって実質的に垂直方位に保持される、請求項３の製品包装。
【請求項５】
前記支持構造が、前記製品包装が前記直立方位で支持表面上に載るときの安定性を高めるための互いに横方向に離間する２つの足を含む、請求項４の製品包装。
【請求項６】
前記２つの足が前記包装部材の前記容器レセプタクルの一部を形成する請求項５の製品包装。
【請求項７】
前記容器が本体部分と前記本体部分から延在する２つの脚部分とを含む請求項６の製品包装。
【請求項８】
前記容器の前記２つの脚部分が前記包装部材の前記２つの足内にそれぞれぴったりと受け入れられる請求項７の製品包装。
【請求項９】
前記包装部材の前記２つの要素の一方が、前記口腔器具レセプタクル及び前記容器レセプタクルを形成するように構成され、前記２つの要素の他方が、前記口腔器具レセプタクル及び前記容器レセプタクルを横切って延在する実質的に平面的な部分を有する、請求項１の製品包装。
【請求項１０】
製品情報インサートを更に含む請求項９の製品包装。
【請求項１１】
前記２つの要素の前記他方が、前記製品情報インサートを内部に受け入れるための、前記平面的な部分を横切る浅い凹部を画定する、請求項１０の製品包装。
【請求項１２】
前記閉位置にあるときに前記包装部材の前記２つの要素を解放可能に互いに締結する少なくとも１つの締結具を更に含む請求項１の製品包装。
【請求項１３】
前記少なくとも１つの締結具が、前記２つの要素の対応する位置にある２つの相補的な形状の突起を含み、前記相補的な形状の突起が、前記閉配置にあるときに入れ子配置で互いに係合して前記２つの要素を締結するように構成される、請求項１２の製品包装。
【請求項１４】
前記製品包装を吊るし用支持体から吊るすための吊るし構造を更に含む請求項１の製品包装。
【請求項１５】
前記包装部材の前記２つの要素の一方内の鼻構造を更に含み、前記鼻構造が前記口腔器具レセプタクルに隣接して位置する、請求項１の製品包装。
【請求項１６】
前記鼻構造が前記口腔器具レセプタクルの上方に位置し、前記包装部材が直立方位にあるときに前記口腔器具レセプタクルが前記容器レセプタクルの上方に位置する、請求項１５の製品包装。
【請求項１７】
前記口腔器具を前記口腔器具レセプタクル内に保持するための包装構造を更に含む請求項１６の製品包装。
【請求項１８】
前記包装構造が前記鼻構造内に受け入れられる請求項１７の製品包装。
【考案の詳細な説明】
【技術分野】
【０００１】
本開示は、口腔器具及び口腔器具容器用の包装に関する。本開示は、また、口腔器具及び口腔器具容器を含む包装にまで及ぶ。
【０００２】
本開示は、特に、睡眠障害治療器具である口腔器具用の包装に関するが、これに限定されない。従って、便宜上この例示的な応用を参照して本開示を以下に説明する。しかし、同時に、本開示はより幅広い適用が可能であると認識されなければならない。例えば、口腔器具は、任意の目的のために又は任意の障害を治療するために使用され得る。
【背景技術】
【０００３】
使用者の口内に保持され所望に応じて取り外すことができる口腔器具は、睡眠時無呼吸の治療、歯科矯正治療、及びスポーツ活動中の口の内部の保護を含む様々な用途で知られている。
【０００４】
睡眠時無呼吸の治療における使用のための口腔器具１０の例が図１〜３に示されており、これらの図は、それぞれ、口腔器具１０の平面図、正面図、及び側面図を示す。口腔器具１０は、使用時に使用者の口の前（前部）に位置する前部１２と、使用時に使用者の口の後（後部）に位置する後部１４と、を有する。口腔器具１０は、使用時に使用者の上下歯列弓のすぐ内側（使用者の歯列の舌側・口蓋側上）に位置する内壁１６と、使用時に使用者の上下歯列弓のすぐ外側（使用者の歯列の頬側・唇側・前庭側上）に位置する外壁１８と、を含む。外壁は外面２０を有する。口腔器具１０は、内外壁１６，１８の間に延在してこれらを相互に接続するウェブ２１を更に備える。ウェブ２１は、使用者の上歯列による接触のための上面２２と使用者の下歯列による接触のための下面（図示せず）とを有する。使用に際して、器具１０は、使用者の口内に保持され、ウェブ２１の上面２２及び下面上の上下歯列の圧力によって把持され得る（但し、そのような把持は、器具１０を使用者の口内に保持する必要がない場合もある）。口腔器具１０は、口腔器具１０の前部１２に向かって複数の貫通開口２４を提供し、器具１０を着用した際に口を介したある程度制限された呼吸が可能になっている。貫通開口２４のサイズ及び／又は数は、使用者のニーズに応じて口腔器具毎に異なっていてよい。例えば、使用者は、使用者の呼吸が器具の使用によって訓練されるにつれて、より大きい及び／又はより多くの開口２４を有する口腔器具から、より小さい及び／又はより少ない開口２４を有する１つ以上の器具へと進むことができる。
【０００５】
睡眠時無呼吸の治療における使用のための口腔器具は、一般的に、使用者が睡眠しているとき（又は睡眠の準備をしているとき）に使用される。歯科矯正治療における使用のための口腔器具は、一般的に、使用者が睡眠しているとき（又は睡眠の準備をしているとき）に着用されるのに加えて、覚醒時にも使用される。スポーツ活動中の口の内部の保護における使用のための口腔器具は、それらの活動が行われるときにだけ使用され得る。いずれの場合にも、非使用時に口腔器具を保管する便利で衛生的な手段を有することが望ましい。
【０００６】
非使用時に口腔器具を保管する１つの手段は、口腔器具を収容するのに適したサイズの再使用可能なプラスチック容器であり、この容器は蓋を有していることで、保管のために容器を閉じることが可能であり、また所望に応じた口腔器具の挿入及び取り外しのために容器を開けることが可能である。
【０００７】
口腔器具（例えば口腔器具１０）用の再使用可能な容器４０の一例が図４〜６に示されており、これらの図は、それぞれ、側面図、平面図、及び容器４０内の口腔器具１０を示す平面図である。容器４０は容器本体４２を備え、容器本体４２は、底壁４４と第１及び第２の湾曲側面４６，４８と前壁５０と後壁５２とを有する。容器４０は蓋部５４を更に備え、蓋部５４は、前壁５０に固定され又は前壁５０に隣接する固定領域５６と固定領域に折り畳みヒンジ６０によって接続された可動領域５８とを提供する。確実な閉鎖を可能にするために、蓋部の可動領域５８は、摩擦嵌合によって及び／又は留め金構造（図示せず）等の１つ以上の固定配置（図示せず）によって容器本体４２の１つ以上の壁に固定可能であってよい。蓋部５４の可動領域５８上には、所望に応じて容器４０の開放を容易にするために、１つ以上のハンドル又はタブ部分（図示せず）が設けられていてよい。蓋部５４は、閉じた位置にあるときに実質的に平面的な外面をもたらし、これを用いて内部の口腔器具に関する重要な情報を提示することができる。図６は、容器４０内の口腔器具（例えば口腔器具１０）の収容を示している（より良い視覚化のために蓋部５４の可動領域５８は省略されている）。
【０００８】
口腔器具用の再使用可能容器は、口腔器具が使用者に支給されるときに口腔器具と共に提供されてよい。口腔器具は、再使用可能容器に詰められていてよい。この場合の不都合は、口腔器具が見えにくい場合があることである。このことは、購入者が多数の選択肢から特定の口腔器具を選択する必要があり得る小売業環境において口腔器具が販売される場合に、購入者は、口腔器具を明確に見て適切な選択を行うことを必要とし又は望むであろうから、特に不都合となる。
【０００９】
図１〜６に示す口腔器具１０及び再利用可能な容器４０は、特定の既知の口腔器具及び再利用可能容器を開示することではなく、本開示に関係する口腔器具及び再利用可能容器の種々のタイプの例を極めて一般的に示すことを意図されていることが理解されるべきである。従って、口腔器具１０及び再利用可能な容器４０に関して例示した特定の詳細は、自認した先行技術と見なされるべきではない。
【考案の概要】
【考案が解決しようとする課題】
【００１０】
本考案は、上記の不都合の少なくとも１つを少なくとも部分的に克服し又は消費者に有用な若しくは商業的な選択の範囲を提供し得る口腔器具及び口腔器具容器用の包装に関する。
【課題を解決するための手段】
【００１１】
本開示の第１の側面によると、口腔器具用の製品包装であって、
口腔器具を内部に受け入れるための口腔器具レセプタクルと口腔器具用の容器を口腔器具レセプタクルのそばで受け入れるための容器レセプタクルとを形成する包装部材を含み、
包装部材が、包装部材の口腔器具レセプタクル及び容器レセプタクルが外部環境に対して閉じている閉位置とそれぞれ口腔器具及び容器に接近するために口腔器具レセプタクル及び容器レセプタクルに接近可能な開位置との間で互いに対して回動する２つの要素を含む、製品包装が提供される。
【００１２】
１つの形態において、口腔器具用の製品包装は、
口腔器具を内部に受け入れるための口腔器具レセプタクルと口腔器具用の容器を口腔器具レセプタクルのそばで受け入れるための容器レセプタクルとを形成する包装部材を含み、容器は底面を含み、口腔器具は、着用されたときに使用者の歯列弓の咬合面に耐えるウェブ面を画定するウェブを有し、
包装部材は、包装部材の口腔器具レセプタクル及び容器レセプタクルが外部環境に対して閉じている閉位置とそれぞれ口腔器具及び容器に接近するために口腔器具レセプタクル及び容器レセプタクルに接近可能な開位置との間で互いに対して回動する２つの要素を含み、
器具レセプタクル及び容器レセプタクルは、口腔器具のウェブ面が器具容器の底面に向かって横方向に延在するように、互いに対して配置される。
【００１３】
他の形態において、口腔器具用の製品包装は、
口腔器具を内部に受け入れるための口腔器具レセプタクルと口腔器具用の容器を口腔器具レセプタクルのそばで受け入れるための容器レセプタクルとを形成する包装部材を含み、
包装部材は、包装部材の口腔器具レセプタクル及び容器レセプタクルが外部環境に対して閉じている閉位置とそれぞれ口腔器具及び容器に接近するために口腔器具レセプタクル及び容器レセプタクルに接近可能な開位置との間で互いに対して回動する２つの要素を含み、
包装部材は、包装部材を支持表面上で直立方位に支持するための支持構造を形成し、
包装部材が直立方位にあるときに、口腔器具は口腔器具レセプタクルによって実質的に水平方位に保持され、容器は容器レセプタクルによって実質的に垂直方位に保持される。
【００１４】
典型的には、器具レセプタクルは、その内部に器具を特定の方位でぴったりと受け入れるように構成されてよい。同様に、容器レセプタクルは、その内部に容器を特定の方位でぴったりと受け入れるように構成されてよい。
【００１５】
上述したように、容器は、望ましくは、支持表面上に載るための底面を有していてよい。容器は、更に望ましくは、反対側の平面的な蓋と底面及び平面的な蓋の間に延在する少なくとも１つの側壁とを含んでいてよい。典型的には、容器は、本体部分と本体部分から延在する２つの脚部分(leg portions)とを含んでいてよい。平面的な蓋は、底面の平面に対して鋭角で延在していてよい。
【００１６】
また、上述したように、口腔器具は、望ましくは、着用されたときに使用者の歯列弓の咬合面に耐えるウェブ面を画定するウェブを有していてよい。一般的に、口腔器具は歯列弓形態に対応する形状を有する。幾つかの実施形態においては、口腔器具は、中切歯領域と中切歯領域から延在する左右のアーム領域とを含む。幾つかの実施形態においては、口腔器具は、内部に使用者の歯列弓を受け入れるための少なくとも１つのチャネルを画定してよい。他の実施形態においては、口腔器具は、内部に上部歯列弓及び下部歯列弓を受け入れるための２つのチャネルを含んでいてよい。
【００１７】
幾つかの実施形態においては、器具レセプタクル及び容器レセプタクルは、口腔器具のウェブ面が器具容器の底面に向けて横方向に延在するように、互いに対して配置されてよい。
【００１８】
好ましい実施形態においては、器具レセプタクル及び容器レセプタクルは、口腔器具のウェブ面が器具容器に対して直角に延在するように、互いに対して配置されてよい。
【００１９】
上述したように、幾つかの実施形態においては、包装部材は、包装部材を支持表面上で直立方位に支持するための支持構造を形成する。そのような実施形態においては、包装部材が直立方位にあるときに、口腔器具は、口腔器具レセプタクルによって実質的に水平方位に保持されてよく、容器は、容器レセプタクルによって実質的に垂直方位に保持されてよい。
【００２０】
一般的に、支持構造は、製品包装が直立方位で支持表面上に載るときの安定性を高めるための互いに横方向に離間する２つの足(feet)を含んでいてよい。典型的には、２つの足は、包装部材の容器レセプタクルの一部を形成してよい。
【００２１】
望ましい実施形態においては、容器の２つの脚部分は、包装部材の２つの足内にそれぞれぴったりと受け入れられてよい。
【００２２】
幾つかの実施形態においては、包装は、包装部材の２つの要素の一方内の鼻構造を更に含んでいてよい。鼻構造は、口腔器具レセプタクルに隣接して位置してよい。望ましくは、包装部材が直立位置にあるときに、鼻構造は口腔器具レセプタクルの上方に位置してよく、口腔器具レセプタクルは容器レセプタクルの上方に位置してよい。
【００２３】
一般的に、包装部材の２つの要素は、透明材料から形成されてよい。各要素は、典型的には、壁の形態にあってよい。
【００２４】
望ましい実施形態においては、２つの要素の一方は、口腔器具レセプタクル及び容器レセプタクルを形成するように構成されてよく、２つの要素の他方は、口腔器具レセプタクル及び容器レセプタクルを横切って延在する実質的に平面的な部分を有していてよい。
【００２５】
典型的には、製品包装は、閉位置にあるときに包装部材の２つの要素を解放可能に互いに締結する少なくとも１つの締結具を更に含んでいてよい。少なくとも１つの締結具は任意の適切な形態のものであってよい。
【００２６】
幾つかの実施形態においては、少なくとも１つの締結具は、２つの要素の対応する位置にある２つの相補的な形状の突起を含んでいてよく、相補的な形状の突起は、閉配置にあるときに入れ子配置で互いに係合して２つの要素を締結するように構成されてよい。
【００２７】
幾つかの実施形態においては、少なくとも１つの締結具は、２つの要素の対応する位置にある対応するブリスタ(blisters)の形態にあってよい。ブリスタは、閉配置にあるときに入れ子配置で互いに係合して２つの要素を締結するように構成されてよい。
【００２８】
幾つかの実施形態においては、製品包装は、製品包装を吊るし用支持体、例えばフックから吊るすための吊るし構造を更に含んでいてよい。
【００２９】
幾つかの実施形態においては、製品包装は、口腔器具を口腔器具レセプタクル内に保持するための包装構造を更に含んでいてよい。典型的には、包装構造は、鼻構造内に受け入れられてよい。
【００３０】
幾つかの実施形態においては、製品包装は、製品情報インサートを更に含んでいてよい。望ましい実施形態においては、２つの要素の他方は、製品情報インサートを内部に受け入れるための、平面的な部分を横切る浅い凹部を画定してよい。
【００３１】
本開示の他の実施形態を以下の段落で説明する。
【００３２】
本開示のある側面によると、口腔器具及び口腔器具容器用の包装が提供され、包装は、
フロントパネルと、
リアパネルと、
を含み、フロントパネル及びリアパネルは、それらが相互接触しているときにそれらの間に少なくとも１つの空隙(void)を提供し、少なくとも１つの空隙は、口腔器具を収容するための第１の空洞部分(cavity portion)と口腔器具用の容器を収容するための第２の空洞部分とを提供する。
【００３３】
一実施形態においては、包装はブリスタ包装を備える。
【００３４】
一実施形態においては、フロントパネルは実質的に透明である。
【００３５】
一実施形態においては、リアパネルは実質的に透明である。
【００３６】
一実施形態においては、包装は、器具の前部が第１の空洞の前部を向くような方位にある口腔器具を収容するように適合させられる。
【００３７】
一実施形態においては、包装は、容器の頂部が第２の空洞の前部を向くような方位にある容器を収容するように適合させられる。
【００３８】
一実施形態においては、フロントパネルは、第１及び第２の空洞部分の少なくとも一方の前部を画定する成形された３次元壁部を備える。
【００３９】
一実施形態においては、フロントパネルは、第１及び第２の空洞部分の少なくとも一方を少なくとも部分的に画定するための成形された前方突出領域を備える。
【００４０】
一実施形態においては、フロントパネル及びリアパネルはヒンジにより接続される。
【００４１】
一実施形態においては、ヒンジは、包装の開構成と包装の閉構成の間でそれらパネルの相対的な動きを提供するように適合させられる。
【００４２】
一実施形態においては、口腔器具を収容するための空洞領域を少なくとも部分的に画定するフロントパネルの壁部分は、口腔器具の外面の形状に対応する形状を有する。
【００４３】
一実施形態においては、口腔器具を収容するための第１の空洞部分は、実質的に包装に対して予め定められた位置に口腔器具を保持するように構成される。
【００４４】
一実施形態においては、包装は、口腔器具の前後方向がフロントパネルの全体方位に対して垂直になる方位に口腔器具を保持するように構成される。
【００４５】
一実施形態においては、口腔器具を収容するための第１の空洞部分は、口腔器具の前後方向がフロントパネルの全体方位に対して垂直になる方位に口腔器具を保持するように構成される。
【００４６】
一実施形態においては、包装は支持体に吊るされるように適合させられる。
【００４７】
一実施形態においては、包装は、包装が展示用のフック又は支持体に吊るされるときにフロントパネルの全体方位が実質的に垂直になるように構成される。
【００４８】
一実施形態においては、フロントパネル及びリアパネルの少なくとも一方には、支持体を受け入れることにより支持体への包装の吊り下げを容易にするための吊るし構造が設けられる。
【００４９】
一実施形態においては、フロントパネル及びリアパネルの各々には、支持体を受け入れることにより支持体への包装の吊り下げを容易にするための吊るし構造が設けられる。
【００５０】
一実施形態においては、吊るし構造は、フロントパネル及びリアパネルの少なくとも一方における切り欠きを備える。
【００５１】
一実施形態においては、包装は、吊るし構造によって受け入れられた支持体に包装が吊り下げられるときに第１の空洞部分が第２の空洞部分の上方になるように構成される。
【００５２】
一実施形態においては、包装は、吊るし構造によって受け入れられた支持体に包装が吊り下げられるときに第１の空洞部分が第２の空洞部分の実質的に直上方になるように構成される。
【００５３】
一実施形態においては、包装は、包装が展示用のフック又は支持体に吊るされるときに口腔器具の前後方向が実質的に水平になるように構成される。
【００５４】
一実施形態においては、包装は、水平面上で安定に立つように適合させられる。
【００５５】
一実施形態においては、包装は、包装が水平面上で立つときにフロントパネルの全体方位が実質的に垂直になるように構成される。
【００５６】
一実施形態においては、包装は、フロントパネル及びリアパネルの一方の支持部によって支持されて安定に立つことができる。
【００５７】
一実施形態においては、支持部は、第２の空洞部分を少なくとも部分的に画定する壁部分を備える。
【００５８】
一実施形態においては、第２の空洞部分を少なくとも部分的に画定する壁部分であって、支持部を提供する壁部分は、第２の空洞部分に対して前方に突出する少なくとも１つの足部を備える。
【００５９】
一実施形態においては、包装は、包装が支持部に支持されて立つときに第１の空洞部分が第２の空洞部分の上方になるように構成される。
【００６０】
一実施形態においては、包装は、包装が支持部に支持されて立つときに第１の空洞部分が第２の空洞部分の実質的に直上方になるように構成される。
【００６１】
一実施形態においては、包装は、包装が水平面上で立つときに口腔器具の前後方向が実質的に水平になるように構成される。
【００６２】
一実施形態においては、包装は、第１の空洞部分の直上方で垂直に延在する特徴を提供するように構成される。
【００６３】
一実施形態においては、垂直に延在する特徴は、包装の前から見ることにより視覚的に区別可能である。
【００６４】
一実施形態においては、垂直に延在する特徴は、水平方向の幅において第１の空洞部分よりも小さい。
【００６５】
一実施形態においては、包装は、垂直に延在する特徴の各側部に対して実質的に円形の特徴を提供するように構成される。
【００６６】
一実施形態においては、包装は、口腔器具用の容器の平面的な蓋平面がフロントパネルの全体方位に対して実質的に平行になる方位に容器を保持するように構成される。
【００６７】
一実施形態においては、口腔器具を収容するための第１の空洞部分は、口腔器具の前後方向がフロントパネルの全体方位に対して実質的に垂直になる方位に口腔器具を保持するように構成される。
【００６８】
一実施形態においては、包装は、使用に際して第２の空洞部分の上方に第１の空洞部分を提供するように構成される。
【００６９】
一実施形態においては、包装は、使用に際して第２の空洞部分の直上方に第１の空洞部分を提供するように構成される。
【００７０】
一実施形態においては、包装は、口腔器具の前後方向が容器の底壁面に対して実質的に垂直になるような方位にある口腔器具及び容器を保持するように構成される。
【００７１】
一実施形態においては、包装は、口腔器具に係止するように適合させられた包装インサートを備える。
【００７２】
一実施形態においては、包装は、容器に係止するように適合させられた包装インサートを備える。
【００７３】
一実施形態においては、包装は、口腔器具及び容器の両方に係止するように適合させられた包装インサートを備える。
【００７４】
一実施形態においては、包装は、底壁を有する容器を収容するように適合させられる。
【００７５】
一実施形態においては、包装は、器具の前後方向が容器の底壁に対して実質的に垂直になるような方位にある口腔器具を収容するように適合させられる。
【００７６】
一実施形態においては、リアパネルは、第１の空洞部分の後部を少なくとも部分的に画定する実質的に平面的な後部分を提供する。
【００７７】
一実施形態においては、包装は、器具の前後方向が平面的な後部分に対して実質的に垂直になるような方位にある口腔器具を収容するように適合させられる。
【００７８】
一実施形態においては、フロントパネルは、成形された３次元壁部に隣接する実質的に平面的な境界領域を備える。
【００７９】
本開示の他の側面によると、口腔器具及び口腔器具容器用のクラムシェルブリスタ包装(clamshell blister packaging)が提供され、この包装は、口腔器具を収容するための第１の空洞部分と口腔器具用の容器を収容するための第２の空洞部分とを提供する。
【００８０】
本開示の更に他の側面によると、口腔器具と口腔器具用の容器とを備えるアセンブリが提供され、口腔器具及び容器は、上述した１つ以上の側面に従う包装内に包装される。
【００８１】
一実施形態においては、口腔器具は、睡眠時無呼吸の治療用の口腔器具である。
【００８２】
一実施形態においては、口腔器具は、歯科矯正治療用の口腔器具である。
【００８３】
一実施形態においては、口腔器具は、スポーツ活動に際してのマウスガードとしての使用のための口腔器具である。
【００８４】
本開示の更なる側面によると、口腔器具と口腔器具用の容器とを備えるアセンブリが提供され、口腔器具及び容器は、上述した１つ以上の側面に従う包装内に包装される。
【００８５】
本開示は、口腔器具及び口腔器具容器を包装する方法にも及び、この方法は、上述した１つ以上の側面に従う包装の使用を含む。
【００８６】
ここに記載された特徴のいずれもが、本考案の範囲内で、ここに記載された他の特徴の任意の１つ以上との任意の組み合わせにおいて組み合わされてよい。
【００８７】
本明細書におけるいかなる先行技術への参照も、先行技術が技術常識の一部を形成する旨の承認又は任意の形態の示唆ではないし、そう解釈されるべきではない。
【図面の簡単な説明】
【００８８】
本開示の望ましい特徴、実施形態、及び変形は、当業者が本開示を実施するのに十分な情報を提供する以下の詳細な説明から理解されるであろう。詳細な説明は、いかなる場合にも、先の開示の概要の範囲を限定するものと見なされるべきではない。詳細な説明は、以下の幾つかの図面を参照する。
【００８９】
【図１】図１は口腔器具の例の上面図である。
【００９０】
【図２】図２は図１の口腔器具の正面図である。
【００９１】
【図３】図３は図１及び２の口腔器具の側面図である。
【００９２】
【図４】図４は口腔器具用の再使用可能容器の側面図である。
【００９３】
【図５】図５は図４の再使用可能容器の上面図である。
【００９４】
【図６】図６は図４及び５の再使用可能容器における図１〜３に示すタイプの口腔器具の収容を模式的に示す図である。
【００９５】
【図７】図７は閉構成における本開示の実施形態に従う包装の上部前面斜視図である。
【００９６】
【図８】図８は図７の包装の正面図である。
【００９７】
【図９】図９は図７及び８の包装の上面図である。
【００９８】
【図１０】図１０は図７〜９の包装の底面図である。
【００９９】
【図１１】図１１は図７〜１０の包装の第１の側面輪郭図である。
【図１２】図１２は図７〜１０の包装の反対側の第２の側面輪郭図である。
【０１００】
【図１３】図１３は開構成における図７〜１２の包装の上部前面斜視図である。
【０１０１】
【図１４】図１４は開構成における図７〜１３の包装の上部背面斜視図である。
【０１０２】
【図１５】図１５は部分的開構成における図７〜１４の包装の上部前面斜視図である。
【０１０３】
【図１６Ａ】図１６Ａは図８に対応する包装の正面図を包装のそばの包装インサート、器具、及び器具容器と共に示す図（その１）である。
【図１６Ｂ】図１６Ｂは図８に対応する包装の正面図を包装のそばの包装インサート、器具、及び器具容器と共に示す図（その２）である。
【図１６Ｃ】図１６Ｃは図８に対応する包装の正面図を包装のそばの包装インサート、器具、及び器具容器と共に示す図（その３）である。
【図１６Ｄ】図１６Ｄは図８に対応する包装の正面図を包装のそばの包装インサート、器具、及び器具容器と共に示す図（その４）である。
【０１０４】
【図１７】図１７は図１６Ａに対応する包装の正面図であるが、包装内に収容された器具、器具容器、及び包装インサートを模式的に示している。
【０１０５】
【図１８】図１８は図１１に対応する包装の側面図であるが、包装内に収容された図１６Ａ〜１６Ｄ及び１７の器具、器具容器、及び包装インサートを模式的に示している。
【０１０６】
【図１９】図１９は概して図８に対応する正面図であるが、関連する像を観察者に伝えると思われる包装の領域を陰影で示している。
【０１０７】
【図２０】図２０は概して図１７に対応する正面図であるが、関連する像を観察者に伝えると思われる包装の領域を陰影で示している。
【０１０８】
【図２１Ａ】図２１Ａは本開示に従う包装内の口腔器具及びそれらのそれぞれの容器の２つの異なる例の斜視図（その１）である。
【図２１Ｂ】図２１Ｂは本開示に従う包装内の口腔器具及びそれらのそれぞれの容器の２つの異なる例の斜視図（その２）である。
【０１０９】
【図２２】図２２は本開示に従う包装の代替的な実施形態の模式的な側面図である。
【考案を実施するための形態】
【０１１０】
本開示に従う包装の実施形態を、添付の図面、特に図７〜２０を参照して以下に説明する。
【０１１１】
図７〜２０において、参照符号７０は、一般的に、本開示に従う包装の実施形態を参照する。
【０１１２】
包装７０は、概して、フロントパネル７２及びリアパネル７４（図１３〜１６Ａに最もよく見える）を備える。フロントパネル７２及びリアパネル７４はヒンジ７５により接続され、ヒンジ７５は、フロントパネル７２及びリアパネル７４と一体的に形成された折り畳みヒンジであってよく、これはライブヒンジと称される場合がある。フロントパネル７２及びリアパネル７４は、互いに対して相対的に動かされて、図７〜１２に示すような包装７０の閉構成、図１３及び１４に示すような包装７０の開構成、又は図１５に示すような部分的開構成等のフロントパネル７２及びリアパネル７４の他の相対的な方位を提供してよい。
【０１１３】
フロントパネル７２及びリアパネル７４は、単一要素として形成されてよく、図示した実施形態では、透明なプラスチック材料の単一要素として形成される。フロントパネル７２及びリアパネル７４は、例えば、ポリエステル、ポリスチレン又はＰＶＣ等のプラスチックから形成されてよく、例えば、所望の形状への熱成形又は射出成形により作製されてよい。閉構成にあるとき、フロントパネル７２及びリアパネル７４は、共に、それらの間に、口腔器具及び口腔器具用の容器を収容するための１つ以上の空洞７６を画定する。包装７０は、クラムシェルブリスタ包装またはクラムシェル容器として知られることもある一般的なタイプのものと見なしてよく、クラムシェルブリスタ包装及びクラムシェル容器自体は公知である。本開示の包装を実装する際に使用し得る製造方法及び材料の更なる詳細は、当業者に知られており又は当業者が容易に認識し得るものである。従って、ここでは網羅的な議論は提供しない。
【０１１４】
フロントパネル７２は、１つ以上の空洞７６を少なくとも部分的に画定するための３次元形状を有する概して横方向中央の空洞画定領域８０を備える。フロントパネル７２は、空洞画定領域８０周囲の周辺境界を提供する背面領域１００を更に備え、空洞画定領域８０は背面領域１００から前方に突出している。
【０１１５】
空洞画定領域８０は、口腔器具用の容器（例えば口腔器具１０用の容器４０）を受け入れ収容するための、空洞７６の容器受け入れ空洞部分８３を少なくとも部分的に画定するような形状にされた容器空洞画定領域８２を提供する。容器受け入れ空洞部分８３は、それが受け入れるように適合させられた容器の外形及び寸法に極めて密接に合致する。
【０１１６】
図示した実施形態では、容器受け入れ空洞部分８３（容器４０を収容するための部分）は、空洞７６の最下部である。図示した実施形態では、容器受け入れ空洞部分８３は、ヒンジ７５付近から前方に延在する容器空洞画定領域８２の第１の平面壁部分８４と、容器空洞画定領域８２の第１及び第２の湾曲側壁部分８５，８６と、によって画定され、第１及び第２の湾曲側壁部分８５，８６は、形状において、収容されるべき容器（例えば容器４０）の複数の側壁（例えば側壁４６，４８）の形状に実質的に対応する。容器受け入れ空洞部分８３は、容器空洞画定領域８２の、大部分が平面的な前壁部分８７によって更に画定される。図７，８及び１３〜１５において見ることができるように、大部分が平面的な前壁部分８７は、その主面から更に前方に延在する第１及び第２の領域８８，８９を含み、第１及び第２の領域８８，８９は小さな像(figurine)の両足(feet)を模倣しており、この点については後で更に詳細に説明する。
【０１１７】
空洞画定領域８０は、口腔器具（例えば口腔器具１０）を受け入れ収容するための、空洞７６の器具受け入れ空洞部分９１を少なくとも部分的に画定するような形状にされた器具空洞画定領域９０を更に提供する。器具受け入れ空洞部分９１は、それが受け入れるように適合させられた口腔器具の外形及び寸法に極めて密接に合致する。
【０１１８】
図示した実施形態では、器具受け入れ空洞部分９１は、大部分が平面的な前壁部分８７の最上部から前方に延在する器具空洞画定領域９０の下壁部分９２によって画定され、また、空洞画定領域８０の第１の側で背面領域１００から前方に延在し、空洞画定領域８０の正面を横切り、空洞画定領域８０の反対側の第２の側で背面領域１００に再び合流する湾曲壁部分９３によって画定される。湾曲壁部分９３は、形状において、収容されるべき器具（例えば器具１０）の外壁（例えば外壁１８の外面２０）の形状及び寸法に概して対応する形状及び寸法を有する。器具受け入れ空洞部分９１は、湾曲壁部分９３の最上部から後方に延在する器具空洞画定領域９０の上壁部分９４によって更に画定される。従って、器具空洞画定領域９０の下壁部分９２、湾曲壁部分９３、及び上壁部分９４が、器具受け入れ空洞部分９１の画定に重要な寄与をしていることが理解されるべきである。
【０１１９】
図示した実施形態では、空洞画定領域８０は、空洞７６の追加的空洞部分９６を少なくとも部分的に画定するような形状にされた追加的空洞画定領域９５を更に提供する。図示した実施形態では、追加的空洞部分９６は、器具受け入れ空洞部分９１の上方に位置する。追加的空洞部分９６は、後方且つ上方に延びるのにつれて凸形状で狭まる追加的空洞画定部分９５の壁部分９７と、追加的空洞画定領域９５の更なる壁部分９８と、によって少なくとも部分的に画定され、更なる壁部分９８は凸状であり且つフロントパネル７２の上部突起９８を形成し、上部突起９８の上部及び側部は、器具空洞画定領域９０の上方でフロントパネル７２の背面領域１００に接続する。上部突起９８は、器具空洞画定領域９０の上方でフロントパネル７２の背面領域１００から前方に突出し、上部突起９８を含む追加的空洞画定領域９５は、鼻を連想させるものと見なされてよい。このことは、口腔器具が器具受け入れ空洞部分９１内に収容されているときに顕著であり、口腔器具が器具受け入れ空洞部分９１を通して見えることで、笑っている口を連想させる外観がもたらされ、この点については後で更に詳細に説明する。
【０１２０】
フロントパネル７２の背面領域１００は、一般的に平面的であり、空洞画定領域８０の横方向最外部からフロントパネルの横方向縁１０４，１０５に向かって横方向に延在する第１及び第２の側境界領域１０２，１０３を提供する。また、背面領域１００は、空洞画定領域８０のより上方部から延在して、空洞画定領域８０の上記より上方部からフロントパネル７２の上縁１０７まで延在する上部境界領域１０６を画定する。上縁１０７は、第１及び第２の肩領域１０８，１１０と上方に延在するタブ縁領域１１２とを提供し、タブ縁領域１１２は、フロントパネル７２の背面領域１００のタブ領域１１３を画定する。タブ領域１１３には切り欠き１１４が設けられ、フック、ペグボード展示、又は他の適切な支持体（図示せず）での包装７０の吊り下げを容易にしている。
【０１２１】
タブ領域に隣接して、背面領域には第１及び第２のボタン１１５，１１６が設けられており、第１及び第２のボタン１１５，１１６は、フロントパネル７２の小さな前方に突出する領域であり、フロントパネル７２がリアパネル７４に係合するのを容易にすることができる。
【０１２２】
フロントパネル７２の背面領域１００の縁１０４，１０５，１０７，１１２には、フロントパネル７２がリアパネル７４に係合することを支援するために、垂直に従属するリム１１８が設けられていてよい。
【０１２３】
本実施形態では、背面領域１００は空洞画定領域８０の横方向側部及び上部を実質的に包囲していることが理解されるはずである。
【０１２４】
リアパネル７４は、周囲形状においてフロントパネル７２に実質的に対応しており、リアパネル７４には、リアパネル及びフロントパネルが閉構成にされたときにフロントパネルの図１４に示す周囲リム１１８内に密着して嵌合するように構成された図１３及び１４に示す周囲リム１２０が設けられている。リアパネル７４には、リアパネル及びフロントパネルが閉構成にされたときにフロントパネル７２の第１及び第２のボタン１１５，１１６内に密着して嵌合するように構成され位置させられた図１３及び１４に示す第１及び第２のボタン１２２，１２３が設けられている。包装７０は、ボタン１１５，１１６，１２２，１２３間の係合及び／又は周囲リム１１８，１２０間の係合によってその閉位置に保持されてよく、加えて又は代替的に任意の他の適切で所望の手段によってその閉位置に固定されてよく、そのような手段は、例えば、接着テープ、接着ラベル、他の接着剤の使用、あるいはリアパネル及びフロントパネルを溶接し又は接着するための熱、放射及び／又は他の処理の使用、あるいはステープル等の機械的固定の使用によるものである。
【０１２５】
図１３及び１４を参照すると、リアパネル７４は、本実施形態では一般的に平面的（上述した周囲リム１２０及びボタン１２２，１２３を除く）であるが、僅かに凹んだ平面領域１２５を提供し、凹平面領域１２５は、印刷物、裏打ちカード、又は包装７０内に収まるように設計されてよい他の所望の薄物の位置決め及び保持を支援する。凹平面領域１２５と周囲リム１２０の間には、実質的に平面的な境界領域１２６が延在する。
【０１２６】
リアパネル７４にはタブ領域１２８が設けられており、タブ領域１２８は、包装７０の閉構成においてフロントパネル７２のタブ領域１１３と位置が一致する。リアパネル７４のタブ領域１２８には切り欠き１２７が設けられており（包装７０の吊り下げを容易にするため）、切り欠き１２７は、包装７０の閉構成においてフロントパネル７２の切り欠き１１４と位置が一致する。
【０１２７】
閉構成においては、リアパネルの実質的に平面的な境界領域１２６は、フロントパネル７２の第１及び第２の側境界領域１０２，１０３並びに上部境界領域１０６と接触する。凹平面領域１２５は空洞７６の後部を画定する。より具体的には、凹平面領域１２５は、容器受け入れ空洞部分８３、器具受け入れ空洞部分９１、及び追加的空洞部分９６の各々の後部を画定する。これら空洞の前境界及び側境界は、上述したように、フロントパネル７２の空洞画定領域８０によって画定される。図示した実施形態では、容器受け入れ空洞部分８３、器具受け入れ空洞部分９１、及び追加的空洞部分９６は、連続的であり、即ち単一の空洞７６の部分部分であることが理解されるべきである。しかし、所望に応じて、空洞画定領域８０の適切な一部がリアパネル７４に接触するように包装を構成することによって、空洞部分８３，９１，９６の任意の２つ以上が区別可能にされ、それによりそれら空洞部分間の境界を提供するようにしてもよい。
【０１２８】
図１６Ａ〜Ｄは正面視における包装７０を図の左側に模式的に示しており、包装内に保持されるべき幾つかの物品の一例を図の右側に模式的に示している。本実施形態において包装内に保持されるべき物品は、器具容器、例えば器具容器４０（図１６Ｄ）、口腔器具、例えば口腔器具１０（図１６Ｃ）、及び随意的な包装インサート１３０（図１６Ｂ）である。
【０１２９】
図１７及び１８は、小売販売のための展示に適した形態にある包装７０内に包装された容器４０、口腔器具１０、及び包装インサート１３０を模式的に示している（但し、明瞭にするために印刷物は省略されている）。
【０１３０】
包装インサート１３０は、背面開放シェル(open backed shell)の形態にプラスチックから薄く成形されてよく、包装７０及びその内容物に対する何らかの追加的な安定性及び固定性を提供してよい。
【０１３１】
図１６Ｂに最もよく示されるように、包装インサート１３０は、追加的空洞画定領域９５の更なる壁部分９８と追加的空洞９６の後部を画定している凹平面領域１２５との間に延在するような寸法の上部先細り領域１３２を有する。包装インサート１３０は、実質的に均一な幅の下部領域１３４を有し、下部領域１３４は、口腔器具１０を通って延在し且つその内壁１６に摩擦で係止するような形状及び寸法にされており、それにより包装７０内での口腔器具１０の位置を安定にすることを支援している。包装インサート１３０の下部領域１３４は、口腔器具との係止を支援するような形状にされていてよい。例えば、図１６Ｂに示す実施形態においては、下部領域１３４には、口腔器具１０の内壁１６の最下部１６Ａを収容するような寸法にされた第１及び第２の後方に延在する溝１３５，１３６が設けられており、内壁１６の最下部１６Ａは、内壁１６の台よりも更に内側に突出している。包装インサート１３０は、容器４０の前壁５０の凹部分に当接するように適合させられた基部１３８を更に提供する。
【０１３２】
図１７及び１８において見ることができるように、口腔器具１０は、口腔器具１０の前部１２が包装７０に対して前方を向き且つ実質的に透明なフロントパネル７２を介して見えるような方位で包装７０内に収容される。これにより、潜在的購入者は、多少遠くからであっても、また、包装７０が見るのに最適とは言えない位置にある場合、例えば包装７０がフック又は見るのに最適ではない高さに包装７０を位置づける他の展示用支持体に吊るされている場合であっても、口腔器具１０の前部１２を容易に見ることができる。このことは、購入決定を告知する上で口腔器具１０の前部１２の特徴が重要であることからも、重要であり得る（図１９及び２０を参照して更に詳細に説明する）。
【０１３３】
更に、容器４０は、頂部、即ち平面的な蓋部５４が包装７０に対して前方を向き且つ実質的に透明なフロントパネル７２を介して見えるような方位で包装７０内に収容される。これにより、潜在的購入者は、多少遠くからであっても、また、包装７０が見るのに最適とは言えない位置にある場合であっても、蓋部５４及びその上に提示された任意の情報を容易に見ることができる。
【０１３４】
包装７０それ自体の構成、及び内容物品を含む包装の構成は、購入者に対する形象的促進(figurative prompt)をももたらすことができ、物品の性質に関して購入者に情報提供して購入を促すのに役立っている。
【０１３５】
図１８に示すように、包装７０は、展示用に吊るすことができるのに加えて、第１の平面壁部分８４上に安定して直立することができる（場合によってはヒンジ７５上にも載っている）。
【０１３６】
図１９は包装７０の模式的な正面図であり、特定の領域又は部分が強調のため灰色で陰影を付けられている。図１９に示され、また上述したように、追加的空洞画定領域９５は、形象的に鼻を示すことが意図されている。これは、製品である器具１０が睡眠時無呼吸の治療用であることの有用な標識である。この形象的な標識は、鼻を関連付けることを意図された包装の他の特徴によって支援される。図１９に示すように、ボタン１１５，１１６は、鼻のいずれかの側の目を形象的に示すような位置にあり、器具空洞画定領域９０の湾曲壁部分９３は、口を連想させるような位置及び方位にある。このように、包装７０の上部は、形象的に顔を示すものと見なすことができ、この顔において追加的空洞画定領域９５は鼻を示している。
【０１３７】
更に、容器空洞画定領域８２は、顔の下方で身体を形象的に示しており、第１及び第２の領域８８，８９が、大部分が平面的な前壁部分８７の主面から前方に延在して両脚と両足を連想させている。このように、包装は、鼻の特徴を強調するのに加えて、抽象的な又は漫画的なキャラクタ又は小さな像(figurine)を示してよい。
【０１３８】
また、器具空洞画定領域９０との組み合わせにおける追加的空洞画定領域９５の形状は、ＣＰＡＰ（持続的気道陽圧(Continuous Positive Airways Pressure)）機械のマスクの形状を連想させ、いびきや睡眠時無呼吸の治療との関連性を更にもたらしている。
【０１３９】
図２０は包装７０の模式的な正面図であり、内容物品が強調のため灰色で陰影を付けられている。図２０に示すように、包装インサート１３０は、鼻の印象を提供し及び／又は強調してよい。この印象は、鼻を関連付けることを意図された包装の他の特徴によって支援される。即ち、口腔器具１０は、口の印象を提供し及び／又は強調してよい。図１９に関連して説明したように、ボタン１１５，１１６は、鼻のいずれかの側の目を形象的に示すような位置にある。器具容器４０は、大部分が平面的な前壁部分８７の主面から前方に延在する第１及び第２の領域８８，８９によってもたらされる、関連する両脚及び両足と共に、身体の印象を提供し及び／又は強調してよい。
【０１４０】
図２１Ａ及び２１Ｂは、本開示に従う包装７０内の、睡眠時無呼吸の治療用の第１及び第２の異なる口腔器具２１１０Ａ，２１１０Ｂ並びにそれらのそれぞれの容器を並べて斜視図として示している。
【０１４１】
図２１Ａを参照すると、第１の口腔器具２１１０Ａは、その前部に設けられた比較的大きな呼吸用開口２１１２Ａを有する。図２１Ｂを参照すると、第２の口腔器具２１１０Ｂは、その前部に設けられた比較的小さな呼吸用開口２１１２Ｂを有する。睡眠中の口呼吸は、第２の口腔器具２１１０Ｂの比較的小さな呼吸用開口２１１２Ｂによるよりも、第１の口腔器具２１１０Ａの比較的大きな呼吸用開口２１１２Ａによる方が、制限されにくい。従って、使用者は、使用者の呼吸が多少は訓練されるまでは第１の口腔器具２１１０Ａを使用し、次いで準備ができたら比較的小さな呼吸用開口２１１２Ｂを有する第２の口腔器具２１１０Ｂの使用へと進むことができる。
【０１４２】
上述したように、口腔器具２１１０Ａ，２１１０Ｂは、口腔器具２１１０Ａ，２１１０Ｂの前部が前方を向き且つ容易に見えるようにそれぞれの包装７０内で方位付けられている。図２１Ａ及び２１Ｂにおいて見ることができるように、開口２１１２Ａ，２１１２Ｂのサイズは、口腔器具２１１０Ａ，２１１０Ｂの前部の観察に際して明白である。このように、口腔器具２１１０Ａ，２１１０Ｂの前部の容易な観察は、購入決定をする上で購入者を支援することができる。
【０１４３】
口腔器具２１１０Ａ，２１１０Ｂの比較特性の更なる兆候は、上述したように、鼻を表す包装の領域によってもたらされる。第１の口腔器具は、鼻部を通る２本の空気流を表す図柄２１９５Ａを含んでいるのに対し、第２の口腔器具は、鼻部を通る３本の空気流を表す図柄２１９５Ｂを含んでいる。これらの図柄を鼻部に設けることによって（特に、明白な呼吸用開口との組み合わせにおいて）、第１の口腔器具２１１０Ａは、未だより多く口呼吸し従ってより少なく鼻呼吸する使用者向けである一方、第２の口腔器具２１１０Ｂは、より少なく口呼吸し従ってより多く鼻呼吸する使用者向けであることを、極めて簡単に使用者に伝えることができる。
【０１４４】
また、図２１Ａ〜Ｂは、上述したように、それぞれの器具容器２１４０Ａ，２１４０Ｂが、それらの平面的な蓋部２１５４Ａ，２１５４Ｂが包装内で前方を向き且つ関連する口腔器具に関係する器具容器上の情報が容易に見えるように方位付けられていることを示している。
【０１４５】
本開示の範囲から逸脱することなく、図示された実施形態からの多くの変形が可能であることが理解されるべきである。
【０１４６】
例えば、図示した実施形態では、フロントパネル及びリアパネルは単一物品として製造され、ライブヒンジ等のヒンジがフロントパネルとリアパネルの間に設けられているが、必要に応じて、フロントパネル及びリアパネルは別部品として製造されてよく、所望に応じて１つにまとめて相互に取り付けられてよい。
【０１４７】
更に、上述した実施形態では、リアパネルはほとんど平面的であり、主として又は単独で空洞部分の後部を画定している。
【０１４８】
包装２２７０の代替的な実施形態においては、図２２に模式的に示すように、リアパネル２２７４は、深い凹領域２２７５を含むことでより多くの空洞部分を画定してもよい（又は代替的な構成によってより多くの空洞部分を画定してもよい）。図２２の実施形態の不利な点は、両パネル間のヒンジ２２７５がより中心に位置するので、包装２２７０が支持表面上で直立するときの安定性を阻害する可能性があることである。これに対して、前述した実施形態においては、例えば図１８に示され図１８から明白であるはずであるように、包装は第１の平面壁部分８４上で安定して立つことができる。
【０１４９】
図面を参照して上述した口腔器具及び器具容器用の包装の機能上の利点は、内容物品の重要部品の視覚的提示が可能になり、購入者が何らかの情報を読む必要なしに、包装内に含まれる製品のかなりの情報を販売場所で購入者に伝えることができる点である。特に、この包装は、器具及び器具容器の各々を顧客によって見えるやり方で別々に見せている。
【０１５０】
上述した実施形態の別の機能上の利点は、包装が、魅力的で見て美しいやり方で顧客に提示される点である。特に、前から見た包装は、顔、身体、及び短い両脚を有する像に似ている。更に、器具は、像の頭に対して、使用者の歯列弓上に搭載された位置を模倣した位置に位置させられている。
【０１５１】
上述した実施形態の更なる機能上の利点は、包装を適切な展示材に吊るすか、あるいは包装を棚に立てるかして、水平方向の大きなスペースを占めることなく包装を展示することができる点である。棚に立てる場合、包装の水平方向の占有面積は小さく、たとえあったとしても口腔器具の水平方向寸法より大きい程度である。
【０１５２】
明細書及び実用新案登録請求の範囲（もしあれば）において、「備える(‘comprising’)」の語並びに「備える(‘comprises’)」及び「備える(‘comprise’)」を含む派生語は、記載されている構成要素(integers)の各々を含むが、１つ以上の更なる構成要素の包含を排除しない。
【０１５３】
明細書全体を通して、「一実施形態(‘one embodiment’)」及び「ある実施形態(‘an embodiment’)」への参照は、その実施形態に関連して記載された特定の特徴、構造、又は特性が、本考案の少なくとも１つの実施形態に含まれていることを意味する。従って、明細書全体を通して種々の箇所にある「一実施形態において(‘in one embodiment’)」又は「ある実施形態において(‘in an embodiment’)」の句の出現は、必ずしも全て同じ実施形態を参照するものではない。更に、特定の特徴、構成、又は特性は、１つ以上の組み合わせにおいて任意の適切なやり方で組み合わされてよい。
【０１５４】
法律等に従い、構造的又は方法的な特徴に多かれ少なかれ固有の言語で考案が記載されてきた。ここに記載された手段は考案を実施する好ましい形態を備えるので、考案は図示され又は記載された特定の特徴に限定されないことが理解されるべきである。従って、考案は、当業者により適切に解釈される添付の実用新案登録請求の範囲（もしあれば）の適正範囲内での任意のその形態又は修正において実用新案登録請求されている。
【図１】
0003213848.tif 000003
【図２】
0003213848.tif 000004
【図３】
0003213848.tif 000005
【図４】
0003213848.tif 000006
【図５】
0003213848.tif 000007
【図６】
0003213848.tif 000008
【図７】
0003213848.tif 000009
【図８】
0003213848.tif 000010
【図９】
0003213848.tif 000011
【図１０】
0003213848.tif 000012
【図１１】
0003213848.tif 000013
【図１２】
0003213848.tif 000014
【図１３】
0003213848.tif 000015
【図１４】
0003213848.tif 000016
【図１５】
0003213848.tif 000017
【図１６Ａ】
0003213848.tif 000018
【図１６Ｂ】
0003213848.tif 000019
【図１６Ｃ】
0003213848.tif 000020
【図１６Ｄ】
0003213848.tif 000021
【図１７】
0003213848.tif 000022
【図１８】
0003213848.tif 000023
【図１９】
0003213848.tif 000024
【図２０】
0003213848.tif 000025
【図２１Ａ】
0003213848.tif 000026
【図２１Ｂ】
0003213848.tif 000027
【図２２】
0003213848.tif 000028